(57)【要約】【課題】構造が簡単で高電圧に対応できる中継コネクタの提供を目的とする。【解決手段】第一ハウジングと第二ハウジングとからなる中継コネクタであって、第一ハウジングは、極毎に筒状の隔壁からなるターミナル収納室を形成してターミナルを備え、第二ハウジングは、第一ハウジングのターミナル収納室を形成する隔壁の外周を呑み込むように筒状の隔壁室を備え、ターミナルは、第一ハウジング側又は第二ハウジング側のいずれか少なくとも一方に弾性爪部を備え、この弾性爪部に対応する第一ハウジング側又は第二ハウジング側の少なくとも一方のリード線を着脱自在に接続することを特徴とする。【選択図】  図１
2005267915.tif 000002
【特許請求の範囲】
【請求項１】
第一ハウジングと第二ハウジングからなる中継コネクタであって、第一ハウジングは、極毎に筒状の隔壁からなるターミナル収納室を形成してターミナルを備え、第二ハウジングは、第一ハウジングのターミナル収納室を形成する隔壁の外周を呑み込むように筒状の隔壁室を備え、ターミナルは、第一ハウジング側又は第二ハウジング側のいずれか少なくとも一方に弾性爪部を備え、この弾性爪部に対応する第一ハウジング側又は第二ハウジング側の少なくとも一方のリード線を着脱自在に接続することを特徴とする中継コネクタ。
【請求項２】
第一ハウジングは、ターミナル収納室の背後に、リード線間を仕切るリード線隔壁室を備え、第二ハウジングは、筒状の隔壁室の背後にリード線間を仕切るリード線隔壁室を備えたことを特徴とする請求項１記載の中継コネクタ。
【請求項３】
リード線の芯線の挿入接続方向に対して、ターミナルの弾性爪部が鋭角に当接するように、ターミナルに弾性爪部を形成し、リード線の隔壁室に沿って弾性爪部を押圧する接続解除釦を備えたことを特徴とする請求項１又は請求項２記載の中継コネクタ。
【発明の詳細な説明】
【技術分野】
【０００１】
本発明は、リード線を中継する中継コネクタに関し、特に高い耐電圧性に優れた中継コネクタに係る。
【背景技術】
【０００２】
電力又は電気信号をリード線接続する場合には電気・電子機器の組み立て性、保守性等により途中に中継コネクタを使用する場合が多い。
この種の中継コネクタとしては、図９のような、プラグ１３０とソケット１２０を嵌合するタイプが一般的であり、接続ターミナルやコンタクトと芯線は圧着接続となっている場合がほとんどである。
また、ターミナル及びコンタクト間の沿面距離が不充分であり高電圧を中継する目的としては使用できなかった。
特開平１１−１６６２９号公報には接触ピン間に隔壁を設け、小型化・高電圧化を図った技術が開示されているが、プラグ・ソケットタイプの複雑な構造で、且つ接続にはリード線の圧着が必要である。
【０００３】
【特許文献１】特開平１１−１６６２９号公報
【発明の開示】
【発明が解決しようとする課題】
【０００４】
本発明は上記技術的課題に鑑みて、構造が簡単で高電圧に対応できる中継コネクタの提供を目的とする。
【課題を解決するための手段】
【０００５】
請求項１記載の発明の技術的要旨は、第一ハウジングと第二ハウジングとからなる中継コネクタであって、第一ハウジングは、極毎に筒状の隔壁からなるターミナル収納室を形成してターミナルを備え、第二ハウジングは、第一ハウジングのターミナル収納室を形成する隔壁の外周を呑み込むように筒状の隔壁室を備え、ターミナルは、第一ハウジング側又は第二ハウジング側のいずれか少なくとも一方に弾性爪部を備え、この弾性爪部に対応する第一ハウジング側又は第二ハウジング側の少なくとも一方のリード線を着脱自在に接続する点である。
【０００６】
また、第一ハウジングには、ターミナル収納室の背後にリード線間を仕切るリード線隔壁室を備え、第二ハウジングには筒状の隔壁室の背後にリード線間を仕切るリード線隔壁室を備えると、より高い耐電圧性が得られる。
これにより、極間に第二ハウジング隔壁室と第二ハウジングのリード線隔壁室、及び第一ハウジング隔壁室と第一ハウジングのリード線隔壁室とを形成し、長い沿面距離を確保し、端子間の絶縁をする。
第一ハウジングのターミナル収納室を外側から呑み込むように、第二ハウジングの隔壁室を嵌合することで、第一ハウジングと第二ハウジングの接続面を形成する。
第一ハウジングのリード線の接続は、リード線を第一ハウジングリード線隔壁室とターミナル収納室との間に形成した連通孔を通してターミナルに接続する。
一方、第二ハウジングのリード線接続はリード線をリード線隔壁室と筒状の隔壁室との間に形成した連通孔を通してターミナルに接続する。
【０００７】
即ち、本発明にて特徴的なのは、第一ハウジングに形成した極毎（リード線毎）の筒状の隔壁からなるターミナル収納室を、第二ハウジングの隔壁室がターミナル収納隔壁の外周を呑み込むように接続した点である。
これにより、このターミナル収納室に収納したターミナルに第一ハウジング側からと、第二ハウジング側からリード線芯線を接続できる。
ターミナルの、第一ハウジング側又は第二ハウジング側のいずれか少なくとも一方に弾性爪部を備えると、この弾性爪部にリード線の芯線を着脱自在に接続することができる。
弾性爪部にリード線の芯線を着脱自在に接続する構造例としては、リード線の芯線の挿入接続方向に対して、ターミナルの弾性爪部が鋭角に当接するように、ターミナルに弾性爪部を形成し、リード線の隔壁室に沿って弾性爪部を押圧する接続解除釦を備えたものが挙げられる。
これにより、芯線を弾性爪部に差し込むだけで接続でき、接続解除釦を押し込むことで、弾性爪部が芯線から離れる方向に押し曲げられ簡単に接続解除できる。
ここで、ターミナルの、第一ハウジング側又は第二ハウジング側のいずれか少なくとも一方に弾性爪部を備えるとは、第一ハウジングと第二ハウジングとでターミナルを収納するように形成する中継コネクタに、リード線を着脱自在に接続するのが目的であり、第一ハウジング側又は第二ハウジング側のいずれか少なくとも一方に弾性爪部を形成していれば、充分という趣旨である。
従って、ターミナルの両側に弾性爪を形成すると、第一ハウジング側と第二ハウジング側の両方に、リード線を着脱自在に接続できる。
【発明の効果】
【０００８】
本発明に係る中継コネクタにおいては、リード線の接続は、芯線と、ターミナルの弾性爪部による係止であるため、リード線をターミナルに圧着する必要がなく鋭角状の爪部に挿入するだけで簡単に接続でき、接続解除釦を押すだけで簡単に取り外せる。
【０００９】
極間に第二ハウジング隔壁室と第二ハウジングのリード線隔壁室、及び第一ハウジング隔壁室と第一ハウジングのリード線隔壁室とを形成し、第一ハウジングのターミナル収納室を外側から呑み込むように、第二ハウジングの隔壁室を嵌合することで、第一ハウジングと第二ハウジングの接続面を形成したので、端子間に長い沿面距離を確保でき、高電圧用の中継コネクタにも適用できる。
【発明を実施するための最良の形態】
【００１０】
本発明の望ましい実施の形態を以下、図面に基づいて説明する。
図１に本発明に係る中継コネクタ１０を示し、図１（イ）がリード線挿入方向から見た側面図、図１（ロ）がＡ−Ａ線断面図を示し、図１（ハ）がＢ−Ｂ線断面図を示す。
中継コネクタ１０は略筒状で第二ハウジング２０と第一ハウジング３０とが嵌合した構造となっている。
中継コネクタは、ターミナル（１２、１２）を２つ備え、それぞれの両側にリード線挿入孔２４、３４を配し、極１１を２つ設けた２極コネクタである。
なお、図１に示した中継コネクタの例は、リード線が２本の２極用であるが、接続数には限定が無いのは言うまでもない。
従って、１つのターミナルに３以上の弾性爪部を設けてリード線挿入孔に臨ませた分配型の中継コネクタとしてもよい。
また、リード線の接続形態としてはターミナルの一端にリード線を固定的に直結して接続し、別のリード線を弾性爪部により着脱自在に接続する構造としても良い。
第一ハウジング３０は、極１１毎に筒状の隔壁３１からなるターミナル収納室３２を形成してターミナル１２を備えている。
第二ハウジング２０は第一ハウジング３０のターミナル収納室３２を形成する隔壁３１の外周を呑み込むように筒状の隔壁室２１を備えている。
第一ハウジング３０はターミナル収納室３２の背後に、並行して接続するリード線間を仕切るリード線隔壁室３３を備えている。
リード線はリード線隔壁室３３のリード線挿入孔３４に挿入する。
リード線隔壁室３３とターミナル収納室３２は連通孔３５で連通している。
第二ハウジング２０も筒状の隔壁室２１の背後に、接続するリード線間を仕切るリード線隔壁室２３を備えている。
リード線はリード線隔壁室２３のリード線挿入孔２４に挿入する。
リード線隔壁室２３と第二ハウジング隔壁室２１内及び第一ハウジングターミナル収納室３２とは連通孔２６で連通している。
２つのターミナルは第一ハウジングターミナル収納室３２の隔壁３１と第二ハウジング隔壁室２１とリード線隔壁室２３、３３により隔てられる。
これにより、ターミナル１２間には長い沿面距離が形成され、耐電圧性に優れている。
ターミナル１２は、第二ハウジング２０側と第一ハウジング３０側に弾性爪部１２ｂ、１２ｃを備えている。
このターミナル１２は板状導体の両端をバネ状に折り曲げて弾性爪部１２ｂを形成し、弾性爪部１２ｂ、１２ｃ間は導通ベース部１２ａで導通している。
ターミナル１２は弾性爪部１２ｂ、１２ｃを、連通孔２６、３５に対して傾斜した状態で臨ませつつ、ターミナル収納室３２の壁面３１ａに先端を対向させている。
リード線をリード線挿入孔２４、３４に挿入すると、リード線の芯線は連通孔２６、３５を通って弾性爪部１２ｂ、１２ｃを押して曲げ変形する。
そして更に押し込むと、リード線芯線はターミナル収納室壁面３１ａと弾性爪部１２ｂ、１２ｃ先端の間に係止される。
この係止動作については後述する。
リード線はターミナル１２の両側から弾性爪部１２ｂ、１２ｃに係止することで導通状態となる。
弾性爪部１２ｂ、１２ｃはリード線の芯線の挿入接続方向に対して鋭角に形成され、リード線芯線に鋭角に当接する。
弾性爪部１２ｂに対しては、リード線隔壁室２３に沿って棒状の接続解除釦２５が先端部２５ａを臨ませている。
これにより、接続解除釦２５を押し込むと弾性爪部１２ｂを曲げ変形させて、接続しているリード線の係止を解除できる。
接続解除釦２５の動作については後述する。
接続解除釦２５は図ではわかりやすいように断面ではなく側面を描いてある。
【００１１】
本発明に係る中継コネクタ１０にリード線を挿入接続する方法について説明する。
図２はリード線１を挿入する前の状態のリード線挿入孔２４付近の拡大断面図で（イ）はＡ−Ａ線断面に対応し、（ロ）はＢ−Ｂ線断面に対応している。
リード線１は、リード線挿入孔２４に挿入する。
すると、図３に示すようにリード線１の芯線２は連通孔２６を通り、バネ状の弾性爪部１２ｂとターミナル収納空間部の壁面３１ａとの間に挿し込まれる。
そして更に押し込むことで図４に示すようにバネ状の弾性爪部１２ｂはリード線挿入方向に弾性変形し、芯線２を壁面３１ａと弾性爪部１２ｂとの間に係止する。
このようにリード線１は、リード線挿入孔より挿し込み、芯線２をターミナル１２の弾性爪部１２ｂに係止する導通ベース部１２ａと導通して、図１における他端の弾性爪部１２ｃと導通状態となる。
リード線は図１に示すコネクタ１０のリード線挿入孔２４、３４に対してこの様に挿入することで芯線を対応する弾性爪部に係止する。
これにより、同じターミナルに芯線を係止しているリード線同士を互いに導通出来、コネクタによりリード線の中継ができる。
【００１２】
次に係止したリード線の解除構造について説明する。
図５（イ）、（ロ）に示すように、リード線１の係止状態を解除するにはリード線挿入孔に並んで、リード線挿入口２４ａ付近からターミナル収納室３２に渡って設けられている接続解除釦２５を押す。
図では分かりやすくするため、接続解除釦２５は断面ではなく側面を描いてある。
この接続解除釦２５はリード線挿入孔に並設されている接続解除釦挿入孔２５ｂに挿入している。
そして、一端は接続解除釦挿入孔２５ｂから外方へ突出させ、もう一端の接続解除釦先端部２５ａは接続解除釦ターミナル側挿入口２５ｃから弾性爪部１２ｂに臨むように配置している。
この接続解除釦挿入孔２５ｂはリード線挿入孔２４とはリブ状のガイドにて隔ている。
図６は接続解除釦を押し込んだ状態を示している。
接続解除釦２５を弾性爪部１２ｂに向けて押すことで接続解除釦先端部２５ａが弾性爪部１２ｂに当たり弾性爪部１２ｂを押し込む。
これにより弾性爪部１２ｂは更にリード線挿入方向にバネ変形する。
よって、この変形により弾性爪部１２ｂはリード線１の芯線２から外れ、図７に示すようにリード線１は係止が解除され抜き出し可能になる。
【００１３】
次にこの中継コネクタの組み立て構造について説明する。
図８は中継コネクタの第一ハウジングと第二ハウジングとを分解した図を示す。
中継コネクタは、第二ハウジング２０と第一ハウジング３０とを嵌合している。
第二ハウジング２０はリード線挿入孔２４を設けた第二ハウジングリード線隔壁室２３と略筒状の第二ハウジング隔壁室２１とを連結している。
第一ハウジング３０はリード線挿入孔３４を設けた第一ハウジングリード線隔壁室３３と略筒状の第一ハウジングターミナル収納室隔壁３１とを連結している。
第一ハウジングターミナル収納室隔壁３１内のターミナル収納室３２には、両端に弾性爪部１２ｂ、１２ｃを設けたターミナル１２を備えている。
【００１４】
この第一ハウジング３０と第二ハウジング２０とは、第二ハウジング隔壁室２１内に第一ハウジングターミナル収納室隔壁３１を挿入し、第二ハウジング係止部２２を第一ハウジング突起３３ａにスナップ係止する。
このように第二ハウジングと第一ハウジングとを嵌合するため構造は簡単になる。
【図面の簡単な説明】
【００１５】
【図１】本発明に係る中継コネクタの例で（イ）はリード線挿入方向の側面図を示し、（ロ）はＡ−Ａ線断面図を示し、（ハ）はＢ−Ｂ線断面図を示す。
【図２】リード線の挿入についての説明図で挿入前の状態の（イ）はＡ−Ａ線断面に対応し、（ロ）はＢ−Ｂ線断面に対応する。
【図３】リード線の挿入進行状態の（イ）はＡ−Ａ線断面に対応し、（ロ）はＢ−Ｂ線断面に対応する。
【図４】リード線の装着状態で（イ）はＡ−Ａ線断面に対応し、（ロ）はＢ−Ｂ線断面に対応する。
【図５】リード線の解除前の状態の説明図で（イ）はＡ−Ａ線断面に対応し、（ロ）はＢ−Ｂ線断面に対応する。
【図６】リード線を解除した状態の説明図で、（イ）はＡ−Ａ線断面に対応し、（ロ）はＢ−Ｂ線断面に対応する。
【図７】リード線を抜き出す状態の説明図で、（イ）はＡ−Ａ線断面に対応し、（ロ）はＢ−Ｂ線断面に対応する。
【図８】第一ハウジングを第二ハウジングから取り外した状態で、（イ）はＡ−Ａ線断面に対応し、（ロ）はＢ−Ｂ線断面に対応する。
【図９】中継コネクタの従来例を示す。
【符号の説明】
【００１６】
１      リード線
２      リード線芯線
１０    中継コネクタ
１１    極
１２    ターミナル
１２ａ  導通ベース部
１２ｂ、１２ｃ  弾性爪部
２０    第二ハウジング
２１    第二ハウジング隔壁室
２２    第二ハウジング係止部
２３    第二ハウジングリード線隔壁室
２４    第二ハウジングリード線挿入孔
２４ａ  第二ハウジングリード線挿入口
２５    接続解除釦
２５ａ  接続解除釦先端部
２５ｂ  接続解除釦挿入孔
２５ｃ  接続解除釦ターミナル側挿入口
２６    第二ハウジング連通孔
３０    第一ハウジング
３１    第一ハウジングターミナル収納室隔壁
３１ａ  第一ハウジングターミナル収納室壁面
３２    第一ハウジングターミナル収納室
３３    第一ハウジングリード線隔壁室
３３ａ  第一ハウジング突起
３４    第一ハウジングリード線挿入孔
３５    第一ハウジング連通孔
【図１】
2005267915.tif 000003
【図２】
2005267915.tif 000004
【図３】
2005267915.tif 000005
【図４】
2005267915.tif 000006
【図５】
2005267915.tif 000007
【図６】
2005267915.tif 000008
【図７】
2005267915.tif 000009
【図８】
2005267915.tif 000010
【図９】
2005267915.tif 000011